(57)【特許請求の範囲】
【請求項１】
前端部に係止爪を突出形成した一対の挟持片の後端部同士をばねを介して開閉自在に連結すると共に前記一対の挟持片をカーラーの外周に嵌着してカーラーに巻回した毛髪を係止するヘアーカーラー用髪止具において、前記挟持片の前端部が平坦に形成してあると共に、その前端内側に面取り部を設け、係止爪の突出基部の内側に補強兼カーラーへの固定用のリブを形成して成ることを特徴とするヘアーカーラー用髪止具。
【請求項２】
挟持片の後部側が湾曲形成してあることを特徴とする請求項１記載のヘアーカーラー用髪止具。
【発明の詳細な説明】
【０００１】
【発明の属する技術分野】
本発明は、ヘアーカーラーに巻いた髪の毛を挟んで固定しておくためのクリップタイプのヘアーカーラー用髪止具に関するものである。
【０００２】
【従来の技術】
ヘアーカーラーに巻いた髪の毛を挟んで固定しておくためのヘアーカーラー用髪止具として、登録実用新案公報第３０１８９２８号が知られている。この登録実用新案公報第３０１８９２８号に示されたものは、一対の挟持片の前後方向の一端部（つまり後端部）をばねを介して開閉自在に連結して構成されている。
【０００３】
上記登録実用新案公報第３０１８９２８号に示された従来例においては、挟持片のみで構成されているため、カーラーに巻回した毛髪を係止した際、係止部において毛髪の折れ曲がりが発生し、毛髪にヘアーカーラー用髪止具の止め跡が残るという問題があり、更に、挟持片の幅に制限があるため、特定の径のカーラーにしか使用できず、径の大きなカーラーは保持できないという問題があった。
【０００４】
ここで、一対の挟持片をその後端部で開閉自在に連結して構成するヘアーカーラー用髪止具に用いる挟持片３として図７に示すように前後方向の幅が極端に短い平板状をしたものや、図８に示すように前後方向の長さが長い平板状をしたものが考えられる。
ところが、図７に示す挟持片３を用いた場合には、挟持片３の前後方向の長さが極端に短いので、カーラーに巻回した毛髪をしっかりと固定できないという問題があり、また、挟持片３の幅が短いため、径の大きいカーラーは保持できないという問題があり、更に、係止爪２の補強がなされていないので、強度が弱いという問題がある。
【０００５】
また、図８に示す挟持片３を用いた場合には挟持片３の前後方向の長さが長いためカーラーに巻回した毛髪を係止した際、挟持片３の前端部から毛髪を導出するに当たり、挟持片３の前端部において毛髪の折れ曲がりが発生して毛髪にヘアーカーラー用髪止具の止め跡が残るという問題があり、更に、挟持片３の前後方向の長さが長すぎることで、ヘアーカーラー用髪止具自身のサイズも大きくなってしまうという問題があり、更に、係止爪２の補強がなされていないので、強度が弱いという問題がある。
【０００６】
【発明が解決しようとする課題】
本発明は上記の従来例の問題点に鑑みて発明したものであって、毛髪にヘアーカーラー用髪止具の止め跡が残らず、また、全体をコンパクトにすることができ、また、係止爪の強度を向上させ、カーラーの抜け止めができるヘアーカーラー用髪止具を提供することを課題とするものである。
【０００７】
【課題を解決するための手段】
上記課題を解決するため、本発明のヘアーカーラー用髪止具は、前端部に係止爪２を突出形成した一対の挟持片３の後端部同士をばねを介して開閉自在に連結すると共に前記一対の挟持片３をカーラー４の外周に嵌着してカーラー４に巻回した毛髪５を係止するヘアーカーラー用髪止具６において、前記挟持片３の前端部が平坦に形成してあると共に、その前端内側に面取り部２０を設け、係止爪２の突出基部の内側に補強兼カーラーへの固定用のリブ１５を形成して成ることを特徴とするものである。このような構成とすることで、カーラー４に毛髪５を巻回した状態でヘアーカーラー用髪止具６で挟持した際、挟持片３の前端部とカーラー４との間に大きな隙間を確保できて毛髪の折り曲がりが発生せず、止め跡が残らないようにできるものである。そして、毛髪５が引き出される挟持片３の前端部の内面部において面取り部２０により毛髪５を逃がすことができてより毛髪５の折れ曲がりの発生を防止することができるものである。また、係止爪２の突出基部の内側に補強兼カーラーへの固定用のリブ１５を形成するので、係止爪２の強度を向上させると共に、カーラー４に毛髪５を巻回した状態でヘアーカーラー用髪止具６で挟持した際にリブ１５がカーラー４の軸方向への抜け止めとなるものである。
【０００８】
また、挟持片３の後部側が湾曲形成してあることも好ましい。このような構成とすることで、ヘアーカーラー用髪止具６自身をコンパクトにできることになる。
【０００９】
【発明の実施の形態】
本発明を以下添付図面に示す実施形態に基づいて説明する。
本発明のヘアーカーラー用髪止具６は一対の挟持片３を一端部側において開閉自在に連結してクリップ状に形成してある。すなわち、挟持片３は合成樹脂の一体成形により形成してあり、該挟持片３の前後方向の一端部（つまり前端部）には係止爪２が設けてあり、挟持片３の前後方向の他端部（つまり後端部）には摘み片１１が設けてあり、この摘み片１１の内面にコイルばね設置部１２が設けてあり、更に、コイルばね設置部１２の左右方向（つまりカーラー４の軸方向と平行な方向）の両側に連結部１３が設けてある。そして、一対の挟持片３の一端部の対向する連結部１３同士を軸部１４により回動自在に連結してある。ここで、軸部１４は一方の挟持片３に一体に形成しておいてもよく、あるいは、別体の軸部を用いてもよい。
【００１０】
また、一対の挟持片３の一端部の対向するコイルばね設置部１２にばね１を構成するコイルばね１ａを設置して該コイルばね１ａにより両挟持片３が閉じる方向にばね力を付与してある。ここで、コイルばね１ａは対向する摘み片１１の内面間に配置されると共にコイルばね１ａの両端部のコイルの軸芯と平行に折り曲げた部分を凹状となったコイルばね設置部１２に嵌め込むことで設置してある。
【００１１】
上記の構成のヘアーカーラー用髪止具６は通常はコイルばね１ａのばね力により図５に示すように閉じており、使用に当たっては、一対の摘み片１１を指で摘んでコイルばね１ａのばね力に抗してヘアーカーラー用髪止具６を開き、図２に示すようなカーラー４に巻回した毛髪５に被せるようにした状態で摘み片１１を離すことで、一対の挟持片３によりカーラー４に巻回した毛髪５を両側から挟持して固定するようにして使用するものである。図２においてＦは使用者の顔を示している。
【００１２】
挟持片３は前端部が平坦な平坦部３ａとなっており、挟持片３の前端の内面が図２乃至図４に示すように面取りしてあって面取り部２０となっている。このように、挟持片３は前端部を平坦部３ａとすることで、カーラー４に毛髪５を巻回した状態でヘアーカーラー用髪止具６で挟持した際、挟持片３の前端とカーラー４との間の距離を大きく確保できて、図２に示すように挟持片３の前端から毛髪５を導出するに当たって、毛髪５の折れ曲がりが発生せず、止め跡が発生しないようになっている。また、挟持片３の前端の内面を面取りして面取り部２０を形成してあることで、図２に示すように挟持片３の前端から毛髪５を導出するに当たって、更に毛髪５の折れ曲がりが発生せず、止め跡が発生しないようになっている。
【００１３】
挟持片３の後部は湾曲してあって湾曲部３ｂとなっている。このように、挟持片３の後部を湾曲部３ｂとすることで、ヘアーカーラー用髪止具６自身をコンパクトにできるものである。
また、挟持片３の内面には図に示すようなカーラー４の突起７に係止するためのリブ８が設けてある。このリブ８の突出長さはカーラー４の突起７とほぼ同じ突出長か又は突起７の突出長さ以上としてある。このことによりカーラー４に毛髪５を巻回した状態でヘアーカーラー用髪止具６で挟持すると、リブ８が巻回した毛髪５に食い込んでカーラー４の突起７に係止されてカーラー４の位置ずれを防止し、且つリブ８がスペーサの役目をして挟持片３が毛髪５を強く押圧することがないものである。添付図面に示す実施形態においては、リブ８は図１に示すように、挟持片３の前後方向において略半円形状をした突部となっており、また、挟持片３の左右方向（つまりカーラー４の軸方向と平行な方向）においては薄肉となっている（つまり、リブ８は挟持片８のカーラー４の軸方向と平行な方向に薄く且つ前後方向に略半円形状をした半円状薄片となっている）。また、薄肉のリブ８の先端は根元側よりも更に薄くなるように尖っている。そして、リブ８をカーラー４の軸方向と平行な方向において薄肉とすることで、カーラー４に巻回した毛髪５にヘアーカーラー用髪止具６を被せるようにして係止した場合、カーラー４に巻回した毛髪５を面で押さえることがなくなってふんわりとしたカールをつけることができるようになっている。また、このようにリブ８をカーラー４の軸方向と平行な方向において薄肉とすることで、カーラー４の突起７間にリブ８が収まり易くなって、リブ８による突起７との係止が確実になり、カーラー４の長手方向（つまり、カーラー４の軸方向）のずれや抜けを防止することができるようになっている。
【００１４】
各挟持片３にはそれぞれ内面にリブ８が挟持片３の幅方向に２列形成してある。
また、一対の挟持片３の前端部にはそれぞれカーラー４の軸方向に複数の係止爪２が設けてある。この係止爪２は先端が内側に向けて曲成してあり、図に示す実施形態では係止片２が全体として弧状に曲成してある例を示してある。このように係止片２全体を弧状に曲成すると径の大きなカーラー４でもしっかりと固定することができるとともに、形状をコンパクトにできるものである。もちろん、係止片２の先端部のみが内側に曲成してあるものでもよく、この場合、弧状でなくて直角に曲成されたものであってもよい。
【００１５】
そして、カーラー４に毛髪５を巻回した状態でヘアーカーラー用髪止具６により挟持した場合、先端を内側に向けて曲成した係止爪２を挟持片３の前端部に突出しているので、この係止爪２の存在によりカーラー４の表面と挟持片３端部との間に一定の隙間を確保することができて、図２のように使用した際に毛髪の折れ曲がりが発生せずに止め跡が残らないものでる。また、挟持片３の前方に係止爪２を突出し、この係止爪２をカーラー４の軸方向に複数並設することで、径の大きなカーラー４であってもしっかりと固定できることになる。
【００１６】
また、対向する挟持片３の係止爪２はカーラー４の軸方向にずれて形成してある。この場合、そのずれは小さくて対向する係止爪２同士は挟持片３のカーラー４の軸方向に接近して配置されている。このように、一方の挟持片３の係止爪２と他方の挟持片３の係止爪２とをカーラー４の軸方向にずらし且つ対向する係止爪２同士を近接配置することで、カーラー４に巻回した毛髪５を係止した際、カーラー４の両端部をしっかりと固定することができ、また、係止爪２がカーラー４の軸方向に位置をずらしているため、挟持片３を閉じた際の形状をコンパクトにできるようになっている。
【００１７】
係止爪２の突出基部の内面には補強兼カーラー４への固定用のリブ１５が設けてあり、このリブ１５も前述のリブ８と同様の理由でその突出長さはカーラー４の突起７とほぼ同じ突出長か又は突起７の突出長さ以上としてあり、また、リブ１５をカーラー４の軸方向と平行な方向において薄肉としてある。そして、この固定用のリブ１５は係止爪２の強度を向上させると共に、カーラー４に毛髪５を巻回した状態でヘアーカーラー用髪止具６を挟持した際にリブ１５がカーラー４の軸方向への抜け止めとなるものである。
【００１８】
図４には小径のカーラー４に毛髪５を巻回した状態でヘアーカーラー用髪止具６の一対の挟持片３により挟持して固定した状態を示しているが、この場合には挟持片３とリブ８とで固定できるものである。
また、図５には大径のカーラー４に毛髪５を巻回した状態でヘアーカーラー用髪止具６の一対の挟持片３により挟持して固定した状態を示しているが、この場合には挟持片３と係止爪２とで固定できるものである。
【００１９】
【発明の効果】
本発明の請求項１記載の発明にあっては、上述のように、前端部に係止爪を突出形成した一対の挟持片の後端部同士をばねを介して開閉自在に連結すると共に前記一対の挟持片をカーラーの外周に嵌着してカーラーに巻回した毛髪を係止するヘアーカーラー用髪止具において、前記挟持片の前端部が平坦に形成してあると共に、その前端内側に面取り部を設け、係止爪の突出基部の内側に補強兼カーラーへの固定用のリブを形成してあるので、カーラーに毛髪を巻回した状態でヘアーカーラー用髪止具で挟持した際、挟持片の前端とカーラーとの間の距離を大きく確保できて、毛髪の折れ曲がりが発生せず、止め跡が発生しないものであり、また、係止爪の強度が向上すると共に、リブによりカーラーの軸方向への抜けを防止できるものである。
【００２０】
また、請求項２記載の発明にあっては、上記請求項１記載の発明の効果に加えて、挟持片の後部側が湾曲形成してあるので、ヘアーカーラー用髪止具自身をコンパクトにできるものである。
【図面の簡単な説明】
【図１】本発明の斜視図である。
【図２】同上の使用状態の断面図である。
【図３】同上の径の大きいカーラーに巻回した毛髪を本発明のヘアーカーラー用髪止具で挟持した状態を示す説明図である。
【図４】同上の径の小さいカーラーに巻回した毛髪を本発明のヘアーカーラー用髪止具で挟持した状態を示す説明図である。
【図５】同上のヘアーカーラー用髪止具を使用していない状態における側面図である。
【図６】同上に使用するカーラーを示し、（ａ）は径の小さいカーラーを示す正面図であり、（ｂ）は径の大きいカーラーを示す正面図である。
【図７】従来例に使用する挟持片を示す斜視図である。
【図８】従来例に使用する他の挟持片を示す斜視図である。
【符号の説明】
１  ばね
２  係止爪
３  挟持片
４  カーラー
５  毛髪
６  ヘアーカーラー用髪止具
１５  リブ
２０  面取り部
【図１】
0003612871.tif 000002
【図２】
0003612871.tif 000003
【図３】
0003612871.tif 000004
【図４】
0003612871.tif 000005
【図５】
0003612871.tif 000006
【図６】
0003612871.tif 000007
【図７】
0003612871.tif 000008
【図８】
0003612871.tif 000009